(57)【特許請求の範囲】
【請求項１】
電圧および電流を計測する電圧・電流計測手段と、該電圧値および電流値に基づく計量値を表示する表示部と、該表示部を制御して前記計量値を表示させる制御手段と、外部からの指令を前記制御手段に供給する指令供給手段とが設けられた電力量計本体と、該電力量計本体と離隔して設けられ、入力された指令を前記指令供給手段に無線で送信することで前記制御手段を介して表示部の表示状態を操作する操作端末とを備えている電子式電力量計において、前記表示部が、現在計測されている現在計量値を、時間帯別電力量、時間帯区分、最大需要電力、および現在需要電力を表示する第１表示モードと、力測有効電力量および力測無効電力量を表示する第２表示モードとに分割して該第１表示モードおよび第２表示モードをサイクリックに表示する第１表示状態と、所定の日時に確定される計量確定値を、時間帯別電力量、時間帯区分、最大需要電力、および累積最大需要電力を表示する第１表示モードと、力測有効電力量、力測無効電力量、および力率を表示する第２表示モードとに分割して該第１表示モードおよび第２表示モードをサイクリックに表示する第２表示状態とをとるように構成され、しかも、前記操作端末からの前記指令に基づいて、前記第１表示状態と第２表示状態の切換が行われ、第１表示状態の第１表示モードの表示時間が第１表示状態の第２表示モードの表示時間よりも長く設定されるとともに、第２表示状態の第１表示モードの表示時間が第２表示状態の第２表示モードの表示時間よりも長く設定され、かつ、第２表示状態の第１表示モードの表示時間が第１表示状態の第１表示モードの表示時間よりも長く設定されるとともに、第２表示状態の第２表示モードの表示時間が第１表示状態の第２表示モードの表示時間よりも長く設定されるように構成されていることを特徴とする電子式電力量計。
【請求項２】
前記現在計量値、計量確定値、および電力量計に関わる各種データが電力量計本体に設けられた書込みおよび書換えの可能な不揮発性メモリに記憶され、
前記操作端末を操作することで前記不揮発性メモリ内の前記現在計量値、計量確定値、および各種データの設定および修正が行われるように構成されている請求項１に記載の電子式電力量計。
【請求項３】
前記電力量計本体に、前記操作端末を操作することで前記現在計量値、計量確定値および各種データを操作端末に送信する送信部が設けられ、
前記操作端末が、受信した前記現在計量値、計量確定値、および各種データを記憶し、且つ該記憶された前記現在計量値、計量確定値、および各種データを外部の電子機器に供給し得るように構成されている請求項２に記載の電子式電力量計。
【請求項４】
前記表示部は、第１ないし第９表示窓を備え、第１表示窓は、第１表示状態における第１表示モードでの時間帯別電力量および第２表示モードでの力測有効電力量または第２表示状態における第１表示モードでの時間帯別電力量および第２表示モードでの力測有効電力量を表示し、第２表示窓は、第１表示状態における第１表示モードでの最大需用電力量または第２表示状態における第１表示モードでの最大需用電力を表示し、第３表示窓は、第１表示状態における第１表示モードでの時間帯区分または第２表示状態における第１表示モードでの時間帯区分を表示し、第４表示窓は、第１表示状態における第２表示モードでの力測無効電力量または第２表示状態における第２表示モードでの力測無効電力量を表示し、第５表示窓は、第１表示状態における第１表示モードでの現在需用電力または第２表示状態における第１表示モードでの累積最大需用電力を表示し、第６表示窓は、第１表示状態における第１表示モードでの時限または第２表示状態における第２表示モードでの力率を表示し、第７表示窓は、第１表示状態における第１表示モードでの電力量計の動作状態および第２表示モードでの電力量計の動作状態または第２表示状態における第１表示モードでの電力量計の動作状態および第２表示モードでの電力量計の動作状態を表示し、第８表示窓は、第２表示状態において計量確定値を表示中である旨を表示し、第９表示窓は、第１表示状態における現在時刻または第２表示状態において計量確定日を表示する請求項１ないし３のいずれか一項に記載の電子式電力量計。
【発明の詳細な説明】
【技術分野】
【０００１】
本発明は、電子式電力量計に関し、詳しくは、現在計測値や計量確定値等の多様な計測情報を表示し得る多機能型電子式電力量計に関する。
【背景技術】
【０００２】
この種の電子式電力量計として、電力量計本体に多数の表示窓を設け、該表示窓に計測情報をサイクリックに（時分割で周期的に）表示させる形態のものが知られている。
【０００３】
この従来の電子式電力量計の表示部の一例を図６（ａ）〜図６（ｃ）に示す。図６（ａ）は、前記表示部１００が、現在計測されている、いわゆる現在計量値を表示している状態を示し、図６（ｂ）は、前記表示部１００が、所定の日時に確定される、いわゆる計量確定値を表示している状態を示す。
【０００４】
尚、図６（ｃ）は、前記電子式電力量計本体に設けられた設定ボタン（図示せず）の操作により、電力量計に関わる各種データ、即ち、現在年、現在月日、現在時刻、計量確定日、および現在計量値と計量確定値（検針時に確認する計量値）の状態表示を設定するときに、これら各種データが前記表示部１００に表示されている状態を示す。
【０００５】
該表示部１００には、図６（ａ）〜図６（ｃ）の各状態に応じて、全日電力量を表示する第1表示窓１０１、最大需要電力を表示する第２表示窓１０２、力測有効電力量を表示する第３表示窓１０３、現在または累積最大需要電力を表示する第４表示窓１０４、時限または力率（力率×１００）を表示する第５表示窓１０５、力測無効電力量を表示する第６表示窓１０６、現在時刻または計量確定値を表示する第７表示窓１０７、電力量計の動作状態を表示する第８表示窓１０８、および現在計量値と計量確定値の表示モードの別を表示する第９表示窓１０９が設けられている。
【０００６】
このように表示部１００には、現在計量値を表示する状態（図６（ａ））と計量確定値を表示する状態（図６（ｂ））とがサイクリックに現れているため、表示部１００には、計量値に該当するもののみで、現在計量値の表示状態（図６（ａ））においては、合計５つの計量値が同時に表示されており、計量確定値の表示状態（図６（ｂ））においては、合計６つの計量値が同時に表示されていることになる。
【発明の開示】
【発明が解決しようとする課題】
【０００７】
上述のように、前記従来例の電子式電力量計には、複数の液晶表示板および液晶ドライバが使用されていることから、サイズが大型化するとともにコストアップにつながり、その一方、多数の現在計量値や計量確定値を自動で同時に表示させていることから、特に電力量計が高所や閉所に設置されている場合に、それら計測情報の読み取りが困難となり、情報収集の操作性にも劣る問題があった。
【０００８】
本発明は、上述した問題に鑑みてなされたものであり、情報収集の操作性に優れる電子式電力量計を提供することを目的とする。
【課題を解決するための手段】
【０００９】
本発明に係る電子式電力量計は、電圧および電流を計測する電圧・電流計測手段と、該電圧値および電流値に基づく計量値を表示する表示部と、該表示部を制御して前記計量値を表示させる制御手段と、外部からの指令を前記制御手段に供給する指令供給手段とが設けられた電力量計本体と、該電力量計本体と離隔して設けられ、入力された指令を前記指令供給手段に無線で送信することで前記制御手段を介して表示部の表示状態を操作する操作端末とを備えている電子式電力量計において、前記表示部が、現在計測されている現在計量値を、時間帯別電力量、時間帯区分、最大需要電力、および現在需要電力を表示する第１表示モードと、力測有効電力量および力測無効電力量を表示する第２表示モードとに分割して該第１表示モードおよび第２表示モードをサイクリックに表示する第１表示状態と、所定の日時に確定される計量確定値を、時間帯別電力量、時間帯区分、最大需要電力、および累積最大需要電力を表示する第１表示モードと、力測有効電力量、力測無効電力量、および力率を表示する第２表示モードとに分割して該第１表示モードおよび第２表示モードをサイクリックに表示する第２表示状態とをとるように構成され、しかも、前記操作端末からの前記指令に基づいて、前記第１表示状態と第２表示状態の切換が行われ、第１表示状態の第１表示モードの表示時間が第１表示状態の第２表示モードの表示時間よりも長く設定されるとともに、第２表示状態の第１表示モードの表示時間が第２表示状態の第２表示モードの表示時間よりも長く設定され、かつ、第２表示状態の第１表示モードの表示時間が第１表示状態の第１表示モードの表示時間よりも長く設定されるとともに、第２表示状態の第２表示モードの表示時間が第１表示状態の第２表示モードの表示時間よりも長く設定されるように構成されていることを特徴とする。
【００１０】
該電子式電力量計によれば、表示部が、現在計測されている現在計量値を２つの表示モードに分割してサイクリックに表示する第１表示状態と、所定の日時に確定される計量確定値を２つの表示モードに分割してサイクリックに表示する第２表示状態とをとるように構成されているので、計測情報を視認の容易な状態で表示させることができるようになる。しかも、電力量計本体から離隔した操作端末からの指令に基づいて、第１表示状態と第２表示状態の切換が行われるように構成されているので、計測情報を遠隔操作により且つ任意に収集することができるようになる。
【００１２】
また、操作端末を操作することにより、平常時には、時間帯別電力量、時間帯区分、最大需要電力、および現在需要電力からなる計量値群と、力測有効電力量および力測無効電力量からなる計量値群とをそれぞれ１つの表示モードで表示させることができるようになり、一方、検針時には、時間帯別電力量、時間帯区分、最大需要電力、および累積最大需要電力からなる計量値群と、力測有効電力量、力測無効電力量、および力率からなる計量値群とをそれぞれ１つの表示モードで表示させることができるようになる。
前記電子式電力量計にあっては、前記第１表示状態および第２表示状態での各第１表示モードが第２表示モードよりも長く表示されることが好ましい。
前記電子式電力量計にあっては、前記第２表示状態が第１表示状態よりも長く表示されることが好ましい。
【００１３】
前記電子式電力量計にあっては、前記現在計量値、計量確定値、および電力量計に関わる各種データが電力量計本体に設けられた書込みおよび書換えの可能な不揮発性メモリに記憶され、前記操作端末を操作することで前記不揮発性メモリ内の前記現在計量値、計量確定値、および各種データの設定および修正が行われるように構成されていることが好ましい。
【００１４】
上記好ましい構成によれば、操作端末を操作することにより、前記現在計量値、計量確定値、各種データの設定および修正を遠隔操作により行うことができ、しかも、それら計測情報等は、書込みおよび書換えの可能な不揮発性メモリに記憶されるので、例えば、電力量計本体に設けられたキーを操作する場合と比べて、各種データの設定および修正が安全、容易、かつ確実に行えるようになる。
【００１５】
前記電子式電力量計にあっては、前記電力量計本体に、前記操作端末を操作することで前記現在計量値、計量確定値および各種データを操作端末に送信する送信部が設けられ、前記操作端末が、受信した前記現在計量値、計量確定値、および各種データを記憶し、且つ該記憶された前記現在計量値、計量確定値、および各種データを外部の電子機器に供給し得るように構成されていることが好ましい。
【００１６】
上記好ましい構成によれば、前記操作端末を操作することにより、電力量計本体に記憶された計測情報等を遠隔操作により操作端末に記憶することができ、しかも、該記憶された計測情報等を、例えば、外部のコンピュータに供給することもできる。
前記電子式電力量計にあっては、前記表示部は、第１ないし第９表示窓を備え、第１表示窓は、第１表示状態における第１表示モードでの時間帯別電力量および第２表示モードでの力測有効電力量または第２表示状態における第１表示モードでの時間帯別電力量および第２表示モードでの力測有効電力量を表示し、第２表示窓は、第１表示状態における第１表示モードでの最大需用電力量または第２表示状態における第１表示モードでの最大需用電力を表示し、第３表示窓は、第１表示状態における第１表示モードでの時間帯区分または第２表示状態における第１表示モードでの時間帯区分を表示し、第４表示窓は、第１表示状態における第２表示モードでの力測無効電力量または第２表示状態における第２表示モードでの力測無効電力量を表示し、第５表示窓は、第１表示状態における第１表示モードでの現在需用電力または第２表示状態における第１表示モードでの累積最大需用電力を表示し、第６表示窓は、第１表示状態における第１表示モードでの時限または第２表示状態における第２表示モードでの力率を表示し、第７表示窓は、第１表示状態における第１表示モードでの電力量計の動作状態および第２表示モードでの電力量計の動作状態または第２表示状態における第１表示モードでの電力量計の動作状態および第２表示モードでの電力量計の動作状態を表示し、第８表示窓は、第２表示状態において計量確定値を表示中である旨を表示し、第９表示窓は、第１表示状態における現在時刻または第２表示状態において計量確定日を表示することが好ましい。
【発明の効果】
【００１７】
以上のように、本発明に係る電子式電力量計によれば、計測情報を視認の容易な状態で表示させることができるので、それら計測情報の読み取りが容易化され、しかも、計測情報を遠隔操作により且つ任意に収集することができるので、情報収集の操作性に優れたものとなる。
【発明を実施するための最良の形態】
【００１８】
以下、本発明に係る電子式電力量計の一実施形態について図面を参照しながら説明する。図１は、本実施形態の電子式電力量計のブロック図である。該電子式電力量計は、電圧および電流を計測する電圧・電流計測手段１と、該電圧値および電流値に基づく計量値を表示する表示部４と、該表示部４を制御して前記計量値を表示させるＣＰＵ（Central Processing Unit）（制御手段）３と、外部からの指令を前記制御手段３に供給する指令供給手段８とが設けられた電力量計本体５を備えている。尚、図１に示す電子式電力量計においては、電圧・電流計測手段１で計測された電圧値と電流値を演算して得られる電力値に比例した計量パルスに変換してＣＰＵ３に供給するＷ／Ｆコンバータ２が設けられている。
【００１９】
前記電圧・電流計測手段１には、被電力計量回路（三相３線式配電線路）における１Ｓ、１Ｌ、および３Ｓ，３Ｌからの入力電流を微少電流に変換し、Ｗ／Ｆコンバータ２に供給する一対の変流器１ａ，１ａと、被電力計量回路（三相３線式配電線路）におけるＰ１、Ｐ２、Ｐ３からの（実効）電圧へのサージ電圧等の侵入を阻止するノイズフィルタ１ｂと、該ノイズフィルタ１ｂを通過した入力電圧をＷ／Ｆコンバータ２の演算動作に適した値に変換する降圧回路１ｃとが設けられている。該ノイズフィルタ１ｂには、入力電圧を降圧・整流してＣＰＵ３および各回路に供給する電源回路２１が接続されている。
【００２０】
前記Ｗ／Ｆコンバータ２には、演算用の基準クロック信号を供給する水晶発信回路２ｂと、演算用の基準電圧を供給する基準電圧回路２ｃが接続されており、前記制御手段３には、演算および制御用の基準クロック信号を供給する水晶発信回路３ｂ、リセット回路、および時間帯区分選択ジャンパー３ｄが接続されており、さらに、Ｗ／Ｆコンバータ２から供給された計量パルスを外部に出力する計量パルス出力回路２２が接続されている。
【００２１】
前記Ｗ／Ｆコンバータ２と制御手段３とは、Ｗ／Ｆコンバータ２で変換された計量パルスを制御手段３に供給する信号線３ａと、制御手段３によりＷ／Ｆコンバータ２を制御し、Ｗ／Ｆコンバータ２から計量パルス（計測情報）を読み出す信号を供給する信号線２ａとで接続されている。
【００２２】
前記指令供給手段８は、外部から送信された赤外線パルスを受信して受信データに復調してＣＰＵ３に供給する赤外線受光器８ａを有している。
【００２３】
前記表示部４は、計測情報を表示する液晶表示板９と、該液晶表示板９を駆動する液晶ドライバ１１とを有しており、該液晶ドライバ１１は、制御可能なようにＣＰＵ３に接続されている。
【００２４】
該表示部４は、ＣＰＵ３により制御されることで、現在計測されている現在計量値を２つの表示モードに分割してサイクリックに表示する第１表示状態と、所定の日時に確定される計量確定値を２つの表示モードに分割してサイクリックに表示する第２表示状態とをとるように構成されている。詳しくは、表示部４は、前記第１表示状態においては、現在計量値を、時間帯別電力量、時間帯区分、最大需要電力、および現在需要電力を表示する第1表示モードと、力測有効電力量および力測無効電力量を表示する第２表示モードとに分割してサイクリックに表示し、前記第２表示状態においては、計量確定値を、時間帯別電力量、時間帯区分、最大需要電力、および累積最大需要電力を表示する第1表示モードと、力測有効電力量、力測無効電力量、および力率を表示する第２表示モードとに分割してサイクリックに表示するように構成されている。ここに、時間帯別電力量は、４つの時間帯に区分され、第１表示状態および第２表示状態のいずれの状態においても、昼間１（第１時間帯）、昼間２（第２時間帯）、夜間（第３時間帯）、ピーク（第４時間帯）の各時間帯別の電力量がサイクリックに表示されるようになっている。
【００２５】
また、本実施の形態の電子式電力量計は、ＣＰＵ３により制御されることで、電力量計の運用上、設定や修正が頻繁に必要となる第１データ群、即ち、最大需要電力復帰、日付（年月日）／時刻（時分）、計量確定日、計器ＩＤ番号、合成変成比、画面表示時間間隔、および同時計量モード復帰を前記表示部４の液晶表示板９に表示するとともに、第１データ群の設定と修正を可能としている状態（以下、設定状態という。）をとるように構成されている。
【００２６】
図２（ａ）に、本実施形態の電子式電力量計の表示部４が、前記第１表示状態において、現在計量値である時間帯別電力量、時間帯区分、最大需要電力、および現在需要電力と、時限、現在時刻、および電力量計の動作状態とを表示する第1表示モードにある状態を示す。図２（ａ）を参照して、第１表示状態の第1表示モードにおいては、液晶表示板９に設けられた第１表示窓５１、第３表示窓５３、第２表示窓５２、第５表示窓５５、第６表示窓５６、第７表示窓５７、および第９表示窓５９に、それぞれ時間帯別電力量、時間帯区分、最大需要電力、現在需要電力、力率、電力量計の動作状態、および現在時刻が表示されている。
【００２７】
図２（ｂ）に、前記電子式電力量計の表示部４が、前記第１表示状態において、現在計量値である力測有効電力量および力測無効電力量と、現在時刻および電力量計の動作状態とを表示する第２表示モードにある状態を示す。図２（ｂ）を参照して、第１表示状態の第２表示モードにおいては、液晶表示板９に設けられた第１表示窓５１、第４表示窓５４、第７表示窓５７、および第９表示窓５９に、それぞれ力測有効電力量、力測無効電力量、電力量計の動作状態、および現在時刻が表示されている。
【００２８】
図３（ａ）に、前記電子式電力量計の表示部４が、前記第２表示状態において、計量確定値である時間帯別電力量、時間帯区分、最大需要電力、および累積最大需要電力と、計量確定日および電力量計の動作状態とを表示する第１表示モードにある状態を示す。図３（ａ）を参照して、第２表示状態の第１表示モードにおいては、液晶表示板９に設けられた第８表示窓５８に計量確定値を表示中である旨の「検針」の表示がされるとともに、液晶表示板９に設けられた第１表示窓５１、第３表示窓５３、第２表示窓５２、第５表示窓５５、第７表示窓５７、および第９表示窓５９に、それぞれ時間帯別電力量、時間帯区分、最大需要電力、累積最大需要電力、電力量計の動作状態、および計量確定日が表示されている。
【００２９】
図３（ｂ）に、前記電子式電力量計の表示部４が、前記第２表示状態において、計量確定値である力測有効電力量、力測無効電力量、および力率と、計量確定日および電力量計の動作状態とを表示する第２表示モードにある状態を示す。図３（ｂ）を参照して、第２表示状態の第２表示モードにおいては、液晶表示板９に設けられた第８表示窓５８に計量確定値を表示中である旨の「検針」の表示がされるとともに、液晶表示板９に設けられた第１表示窓５１、第４表示窓５４、第６表示窓５６、第７表示窓５７、および第９表示窓５９に、それぞれ力測有効電力量、力測無効電力量、力率、電力量計の動作状態、および計量確定日が表示されている。
【００３０】
図４に、前記電子式電力量計の表示部４が、前記設定状態において、現在年、現在月日、現在時刻、および計量確定日を表示している状態を示す。図４を参照して、設定状態においては、液晶表示板９に設けられた第２表示窓５２、第５表示窓５５、第９表示窓５９、および第６表示窓５６に、それぞれ、現在年、現在月日、現在時刻、および計量確定日が表示されている。
【００３１】
本実施形態の電子式電力量計においては、前記ＣＰＵ３に、電気的に書込みおよび書換えの可能なＥＥＰＲＯＭ（Electrically Erasable and Programmable Read Only Memory）（不揮発性メモリ）１２が接続されている。該ＥＥＰＲＯＭ１２は、ＣＰＵ３によって、前記計量パルスに基づいてＣＰＵ３にて演算された現在計量値および計量確定値と、電力量計に関わる各種データとの保存および読み出しが可能な状態に制御されており、停電時および計量確定時に現在計量値および計量確定値を保存（サンプリング）している。
【００３２】
前記各種データには、前記した第１データ群と、電力量計の管理上必要となる第２データ群（計器固有情報）、即ち、メーカー名、型式、製造年、製造番号、指示数、乗率、型式承認番号、供給電圧方式、容量、有効時限、顧客管理情報、および計器ＩＤ番号とが含まれる。
【００３３】
本実施形態の電子式電力量計は、電力量計本体５と離隔して設けられ、入力された指令を前記指令供給手段８に赤外線パルスで送信することで前記ＣＰＵ３を介して表示部４の表示状態を操作したり、ＣＰＵ３を操作して後述する送信部１３から前記現在計量値、計量確定値および前記各種データを送信させ、該現在計量値、計量確定値および前記各種データを受信したりする外部ターミナル（操作端末）７とを備えている。詳しくは、該外部ターミナル７には、電力量計本体５と外部ターミナル７自体とを操作するための各種指令を手動で入力するためのキーボード部１０と、該指令を画面に表示する表示部１５と、該指令をパルス信号に変換するパルス信号変換部（図示せず）と、該パルス信号を赤外線パルスに変換して指令供給手段８に送信するとともに、外部からの赤外線パルスを受信するフォトトランジスタからなる赤外線ピックアップ１４が設けられている。さらに、前記外部ターミナル７には、受信した前記現在計量値、計量確定値、および各種データを記憶するメモリ（図示せず）と、該メモリに記憶された前記現在計量値、計量確定値、および各種データを外部のコンピュータ等の電子機器に供給するためのインターフェイス装置（図示せず）を備えている。
【００３４】
また、前記電力量計本体５には、前記外部ターミナル７を操作する（外部ターミナル７のキーボード部１０に必要な指令を入力する）ことで、前記現在計量値、計量確定値および前記各種データを外部ターミナル７に送信する送信部１３が設けられている。詳しくは、該送信部１３は、ＣＰＵ３に接続されており、送信するデータである現在計量値、計量確定値および各種データをＣＰＵ３を介してＥＥＰＲＯＭ１２、またはＣＰＵ３に内蔵されたＲＡＭ（図示せず）から変調パルスとして受け取る論理回路部１３ａと、該変調パルスを赤外線パルスに変換して外部ターミナル７の赤外線ピックアップ１４に送信する赤外線ＬＥＤ１３ｂとを有している。この赤外線ＬＥＤ１３ｂと赤外線ピックアップ１４とによっていわゆるフォトカプラが形成されており、電力量計本体５と外部ターミナル７とは、電流の変化によって信号を伝送する回路によって接続され、相互に通信可能な状態となっている。
【００３５】
以下、本実施形態の電子式電力量計の動作について説明する。電力量計本体５のＷ／Ｆコンバータ２では、電圧・電流計測手段１で計測された電圧値と電流値が演算されて得られた電力量に比例した計量パルスに変換され、該計量パルスが信号線３ａを通ってＣＰＵ３に供給される。該ＣＰＵ３は、内部に格納されているプログラムに従い、前記計量パルスを計量パルス出力回路２２に供給し、該計量パルス出力回路２２を制御して外部に出力させる一方、前記表示部４の液晶ドライバ１１を制御し、液晶表示板９を駆動させて前記計量パルスに基づく計測情報を表示させる。
【００３６】
前記表示部４は、平常時には、前記第１表示状態にあり、電圧・電流計測手段１で定常的に計測されている電圧値と電流値に基づく現在計量値が、図５の過程Ｓ１および過程Ｓ２において、それぞれ前記第1表示モードおよび第２表示モードに分割されてサイクリックに表示されている。具体的には、前記第１表示モードを２０秒間維持する過程（図５の過程Ｓ１）と、第２表示モードを１０秒間維持する過程（図５の過程Ｓ２）とがサイクリックに繰り返されている。尚、第１表示モードにおいては、時間帯別計量値は、前記した４つの時間帯に区分され、５秒間隔でサイクリックに第１表示窓５１に表示されている。
【００３７】
この第１表示状態において、図５の判断過程Ｓ３でＹＥＳと判断された場合、即ち、検針時において、外部ターミナル７のキーボード部１０に現在計量値の表示に代えて計量確定値の表示をさせるための指令（以下、計量確定値表示指令という。）が入力された場合には、表示部４は、第１表示状態から切り換わって第２表示状態となり、前記計量確定値表示指令が外部ターミナル７の表示部１５に表示されるとともに、外部ターミナル７のパルス信号変換部でパルス信号に変換され、該パルス信号が赤外線ピックアップ１４で赤外線パルスに変換されて送信され、電力量計本体５の赤外線受光器８ａで受信されて受信データに復調され、ＣＰＵ３に供給される。
【００３８】
その後、前記計量確定値表示指令に基づいて、ＣＰＵ３によりＥＥＰＲＯＭ１２から予め記憶しておいた計量確定値が読み出されるとともに、液晶ドライバ１１を介して液晶表示板９が制御され、図５の過程Ｓ５および過程Ｓ６において、前記読み出された計量確定値が、液晶表示板９にサイクリックに表示されるようになる。具体的には、前記第１表示モードを４０秒間維持する過程（図５の過程Ｓ５）と、第２表示モードを２０秒間維持する過程（図５の過程Ｓ６）とがサイクリックに繰り返されている。尚、第１表示モードにおいては、時間帯別計量値は、前記した４つの時間帯に区分され、１０秒間隔でサイクリックに第１表示窓５１に表示されている。
【００３９】
そして、外部ターミナル７のキーボード部１０に計量確定値表示状態を解除する旨の解除指令が入力されない限り、図５の判断過程Ｓ７でＮＯと判断され、第２表示状態が継続する。その一方、外部ターミナル７のキーボード部１０に前記解除指令が入力されるか、または、所定時間が経過することで、図５の過程Ｓ７でＹＥＳと判断された場合には、第１表示状態に復帰する。
【００４０】
一方、図５の判断過程Ｓ３でＮＯと判断された場合、即ち、外部ターミナル７のキーボード部１０に計量確定値表示指令が入力されない場合には、第１表示状態に復帰する。
【００４１】
また、第１表示状態において、図５の判断過程Ｓ４でＹＥＳと判断された場合、即ち、外部ターミナル７のキーボード部１０に、電子式電力量計を前記した設定状態とするべく設定指令が入力された場合には、電子式電力量計は、設定状態（図５の過程Ｓ８）となり、設定指令が外部ターミナル７の表示部１５に表示されるとともに、外部ターミナル７のパルス信号変換部でパルス信号に変換され、該パルス信号が赤外線ピックアップ１４で赤外線パルスに変換されて送信され、電力量計本体５の赤外線受光器８ａで受信されて受信データに復調され、ＣＰＵ３に供給される。
【００４２】
この設定状態で、外部ターミナル７のキーボード部１０に必要な指令を入力することにより、前記第１データ群を設定し、修正することができる。尚、図４に示す設定状態においては、第２表示窓５２に表示されている現在年、第５表示窓５５に表示されている現在月日、第９表示窓５９に表示されている現在時刻を設定し、修正することが可能となっている。
【００４３】
そして、外部ターミナル７のキーボード部１０に設定状態を解除する旨の解除指令が入力されない限り，図５の判断過程Ｓ９でＮＯと判断され、設定状態が継続する。その一方、外部ターミナル７のキーボード部１０に前記解除指令が入力されるか、または、所定時間が経過することで、図５の過程Ｓ９でＹＥＳと判断された場合には、第１表示状態に復帰する。
【００４４】
一方、図５の判断過程Ｓ４でＮＯと判断された場合、即ち、外部ターミナル７のキーボード部１０に設定指令が入力されない場合には、第１表示状態に復帰する。
【００４５】
尚、例えば、電子式電力量計の検針時、或いは、検定時や取り替え時において、電子式電力量計のＥＥＰＲＯＭ１２に記憶された現在計量値および計量確定値や前記第２データ群（計器固有情報）（以下、管理情報という。）を収集する場合には、外部ターミナル７を操作してキーボード部１０に必要な指令を入力することにより、外部ターミナル７から指令供給手段８に該指令に対応する赤外線パルスが送信され、該指令に基づいてＣＰＵ３が操作されて、電力量計本体５の送信部１３から赤外線パルスに変換された管理情報が外部ターミナル７の赤外線ピックアップ１４に送信される。そして、受信した管理情報を外部ターミナル７のメモリに一時的に記憶させ、その後、外部ターミナル７を外部のコンピュータ等に接続することにより、該記憶された管理情報を該コンピュータに供給する。これにより、例えば、電力量計本体に設けられたキーを操作して管理情報を収集する場合と比べて、電子式電力量計の管理上必要な情報を、正確且つ容易に収集することができる。
【００４６】
以上説明したように、本実施形態の電子式電力量計によれば、表示部４が、現在計測されている現在計量値を２つの表示モード（第１表示モードおよび第２表示モード）に分割してサイクリックに表示する第１表示状態と、所定の日時に確定される計量確定値を２つの表示モード（第１表示モードおよび第２表示モード）に分割してサイクリックに表示する第２表示状態とをとるように構成されているので、現在計量値と計量確定値とからなる計測情報を視認の容易な状態で表示させることができることから、それら計測情報の読み取りが容易化され、しかも、電力量計本体５から離隔した外部ターミナル７からの指令に基づいて、第１表示状態と第２表示状態の切換が行われるように構成されているので、計測情報を遠隔操作により且つ任意に収集することができるようになることから、情報収集の操作性に優れたものとなる。
【００４７】
尚、本発明は、上記実施形態に限定されず、本発明が意図する範囲で、種々の形態の実施が可能である。例えば、上記実施形態では、表示部４に液晶表示板９を使用したが、その他有機ＥＬ表示板等を用いることもできる。また、電力量計本体５と外部ターミナル７とを赤外線パルスを介して通信するようにしたが、その他の無線を用いることも可能である。
【００４８】
また、前記第１表示状態においては、現在計量値を時間帯別電力量、時間帯区分、最大需要電力、および現在需要電力を表示する第1表示モードと、力測有効電力量および力測無効電力量を表示する第２表示モードとに分割し、前記第２表示状態においては、計量確定値を時間帯別電力量、時間帯区分、最大需要電力、および累積最大需要電力を表示する第1表示モードと、力測有効電力量、力測無効電力量、および力率を表示する第２表示モードとに分割して表示したが、第1表示モードおよび第２表示モードにおいて表示する計量値は、前記分割の方法に限られず、必要に応じ、適宜変更することができる。
【図面の簡単な説明】
【００４９】
【図１】図１は、本発明の一実施形態に係る電子式電力量計のブロック図である。
【図２】図２（ａ）は、同電子式電力量計の表示部が、第１表示状態の第1表示モードにある状態を示す平面図であり、図２（ｂ）は、同電子式電力量計の表示部が、第１表示状態の第２表示モードにある状態を示す平面図である。
【図３】図３（ａ）は、同電子式電力量計の表示部が、第２表示状態の第1表示モードにある状態を示す平面図であり、図３（ｂ）は、同電子式電力量計の表示部が、第２表示状態の第２表示モードにある状態を示す平面図である。
【図４】図４は、同電子式電力量計が設定状態にある場合における表示部の状態を示す平面図である。
【図５】図５は、同電子式電力量計の液晶表示板の表示プロセスのフローチャート図である。
【図６】図６（ａ）は、従来例の電子式電力量計の表示部が、現在計量値を表示している状態を示す平面図であり、図６（ｂ）は、同電子式電力量計の表示部が、計量確定値を表示している状態を示す平面図であり、図６（ｃ）は、同電子式電力量計が設定状態にある場合における表示部の状態を示す平面図である。
【符号の説明】
【００５０】
１…電圧・電流計測手段、３…ＣＰＵ（制御手段）、４…表示部、５…電力量計本体、７…外部ターミナル（操作端末）、８…指令供給手段、９…表示板（液晶表示板）
【図１】
0004729252.tif 000002
【図２】
0004729252.tif 000003
【図３】
0004729252.tif 000004
【図４】
0004729252.tif 000005
【図５】
0004729252.tif 000006
【図６】
0004729252.tif 000007